(57)【要約】      （修正有）【課題】様々なサイズのシートに装着することのできる汎用品でありながら、サイズの異なるシートに対してもフィット性の高い装着状態を得ることのできるシートカバーを提供する。【解決手段】シートカバー１００は、自動車のシートに装着され、被着部２０及び敷き布部５０を備えるカバー本体１０と、マチ幅調節手段６０とを有している。フード状の被着部２０は、シートのヘッドレスト部や背もたれ部の肩部を含むシート上部を覆って装着される。マチ幅調節手段６０は、被着部２０を絞って被着部２０のマチ幅を狭めることにより被着部２０をシート上部にフィットさせる。マチ幅調節手段６０は、被着部２０におけるマチ部２３の幅方向両縁部に並べて設けられた掛止部６１と、掛止部６１に摺動可能に掛止されてマチ部２３に巻き掛けられる紐状体６５と、紐状体６５の緊締状態を保持させるためのストッパー６８とで構成される。【選択図】図１
0003230665.tif 000002
【実用新案登録請求の範囲】
【請求項１】
着座部とヘッドレスト部を備える背もたれ部とを有し、背もたれ部の上部がヘッドレスト部よりも幅広の肩部を形作ってなるシートに装着されるシートカバーであって、
上記ヘッドレスト部と背もたれ部の上記肩部とを含むシート上部を覆って装着されるマチ部を備えたフード状の被着部を有するカバー本体と、
上記被着部を絞って上記マチ部のマチ幅を狭めることにより上記被着部を上記シート上部にフィットさせるためのマチ幅調節手段と、を有することを特徴とするシートカバー。
【請求項２】
上記マチ幅調節手段が、上記被着部におけるマチ部の幅方向両縁部それぞれの複数箇所に並べて設けられた掛止部と、これらの掛止部に摺動可能に掛止されて上記マチ部に巻き掛けられる紐状体と、この紐状体の緊締状態を保持させるためのストッパーと、でなる請求項１に記載したシートカバー。
【請求項３】
掛止部が、上記紐状体を挿通可能なループでなる請求項２に記載したシートカバー。
【請求項４】
カバー本体が、上記被着部とこの被着部から延び出てシートの背もたれ部及び着座部に重ね合わされる敷き布部と、を有する請求項１ないし請求項３のいずれか１項に記載したシートカバー。
【考案の詳細な説明】
【技術分野】
【０００１】
本考案は、シートカバー、特に様々なサイズのシートに装着することが可能な汎用品でありながら、サイズの異なるシートに対してもフィット性の高い装着状態を得ることのできるシートカバーに関する。
【背景技術】
【０００２】
多くの自動車用のシートは、着座部とヘッドレスト部を備える背もたれ部とを有していて、背もたれ部の上部がヘッドレスト部よりも幅広の肩部を形作っている。また、従来より、シートカバーには、特定のサイズのシートだけに適合するものが多く提供されていた（たとえば、特許文献１、特許文献２参照）。このうち、特許文献１には、一部を取換可能にした車両用シートカバーについての記述がある。また、特許文献２には、シートに対するフィット性を高めるための対策を講じたシートカバー取付構造についての記述がなされている。
【先行技術文献】
【特許文献】
【０００３】
【特許文献１】特開２０１８−５８４４７号公報
【特許文献２】特開２０１４−３２３公報
【考案の概要】
【考案が解決しようとする課題】
【０００４】
しかしながら、従来より知られているシートカバーや、特許文献１や特許文献２に記載されているシートカバーは、いずれも、特定のサイズのシートだけに適用されるに過ぎず、様々なサイズのシートに装着することのできる汎用品でありながら、サイズの異なるシートに対してもフィット性の高い装着状態を得られるというものではなかった。
【０００５】
本考案は以上の状況に鑑みてなされたものであり、様々なサイズのシートに装着することのできる汎用品でありながら、サイズの異なるシートに対してもフィット性の高い装着状態を得ることのできるシートカバーを提供することを目的としている。
【課題を解決するための手段】
【０００６】
本考案に係るシートカバーは、着座部とヘッドレスト部を備える背もたれ部とを有し、背もたれ部の上部がヘッドレスト部よりも幅広の肩部を形作ってなるシートに装着されるシートカバーであって、上記ヘッドレスト部と背もたれ部の上記肩部とを含むシート上部を覆って装着されるマチ部を備えたフード状の被着部を有するカバー本体と、上記被着部を絞って上記マチ部のマチ幅を狭めることにより上記被着部を上記シート上部にフィットさせるためのマチ幅調節手段と、を有する、というものである。
【０００７】
このシートカバーによると、ヘッドレスト部と背もたれ部の肩部とを含むシート上部に装着したフード状の被着部をマチ幅調節手段の作用を利用して絞ると、被着部のマチ部のマチ幅が狭まって被着部がシート上部にフィットする。この作用はサイズの異なるシートに対しても発揮されるため、サイズの異なるシートに対してもフィット性の高い装着状態を得ることが可能になる。
【０００８】
本考案では、上記マチ幅調節手段が、上記被着部におけるマチ部の幅方向両縁部それぞれの複数箇所に並べて設けられた掛止部と、これらの掛止部に摺動可能に掛止されて上記マチ部に巻き掛けられる紐状体と、この紐状体の緊締状態を保持させるためのストッパーと、でなる、という構成を採用することが望ましい。これによると、被着部におけるマチ部の幅方向両縁部の複数箇所の掛止部に掛止させた紐状体を緊締して締め付けるだけで、被着部におけるマチ部のマチ幅が狭まって被着部がシート上部にフィットする。したがって、紐状体の緊締状態をストッパーによって保持させておくと、被着部がシート上部にフィットしたままになる。また、シートカバーを取り外すときには、紐状体を緩めてカバー本体の被着部におけるマチ部のマチ幅を拡げるだけで、被着部をシートの上部から楽に無理なく取り外すことが可能になる。
【０００９】
本考案では、掛止部が、上記紐状体を挿通可能なループでなる、という構成を採用することが可能である。これによれば、紐状体が掛止部から外れるという事態が起こらず、確実にかつ容易に紐状体を緊締することが可能になる。
【００１０】
本考案では、カバー本体が、上記被着部とこの被着部から延び出てシートの背もたれ部及び着座部に重ね合わされる敷き布部と、を有することが望ましい。これによれば、シートの着座部及びヘッドレスト部を備える背もたれ部の全体にカバー本体を装着することが可能になる。
【考案の効果】
【００１１】
以上のように、本考案によると、様々なサイズのシートに装着することのできる汎用品でありながら、サイズの異なるシートに対してもフィット性の高い装着状態を得ることのできるシートカバーを提供することが可能になる。
【図面の簡単な説明】
【００１２】
【図１】本考案の実施形態に係るシートカバーを斜め前から見て示した斜視正面図である。
【図２】同シートカバーを斜め後から見て示した斜視背面図である。
【図３】同シートカバーの概略側面図である。
【図４】掛止部に採用したループの斜視図である。
【図５】使用状態の斜視図である。
【考案を実施するための形態】
【００１３】
図１は本考案の実施形態に係るシートカバー１００を斜め前から見て示した斜視正面図、図２は同シートカバー１００を斜め後から見て示した斜視背面図、図３は同シートカバー１００の概略側面図、図４は掛止部６１に採用したループ状の布テープの斜視図、図５は使用状態の斜視図である。
【００１４】
この実施形態に係るシートカバー１００は、図５に示されている自動車のシート（図例はセパレートシート型のフロントシート）２００に装着される。シート２００は、同図のように、着座部２１０とヘッドレスト部２２０を備える背もたれ部２３０とを有し、背もたれ部２３０の上部がヘッドレスト部２２０よりも幅広の肩部２３１を形作ってなる。この種のシート２００において、ヘッドレスト部２２０としては、背もたれ部２３０と一体に形成されているものや、背もたれ部２３０に着脱可能に形成されているものなどが知られている。
【００１５】
図１〜図３に示したシートカバー１００は、フード状の被着部２０及び縦長形状の敷き布部５０を備えるカバー本体１０と、フード状の被着部２０を絞ってこの被着部２０のマチ幅を狭める作用を発揮するマチ幅調節手段６０と、を有している。以下、被着部２０及び敷き布部５０やマチ幅調節手段６０などの具体例を詳細に説明する。
【００１６】
図１〜図３のように、フード状の被着部２０は、図５に示したシート２００のヘッドレスト部２２０と背もたれ部２３０の肩部２３１とを含むシート上部Ｚを覆う形態でシート２００に装着される。この被着部２０は、シート上部Ｚの表側を覆う前布部２１と、シート上部Ｚの背側を覆う背布部２２と、前布部２１と背布部２２との間にマチ幅を形成する布製のマチ部２３とにより形成されていて、前布部２１と背布部２２とマチ部２３とは縫着されている。また、図例の被着部２０では、前布部２１が、中央の生地２１ａとその左右の生地２１ｂ、２１ｂとを縫着することによって形成されているのに対して背布部２２は１枚の生地によって形成されている。縦長形状の敷き布部５０は、被着部２０の前布部２１に縫着されて被着部２０から延び出ている。図例の敷き布部５０は、図５に示したシート２００の背もたれ部２３０に重ね合わされる上布部５１と、着座部２１０に重ね合わされる下布部５５とに区画されていて、上布部５１と下布部５５とは縫着によって連結されている。また、上布部５１は中央の生地５１ａとその左右の生地５１ｂ，５１ｂとを逢着することにより形成され、下布部５５も同様に中央の生地５５ａとその左右の生地５５ｂ，５５ｂとを逢着することにより形成されている。以上説明したカバー本体１０は、上記した背布部２２を除き、表地と裏地とを有していて、表地には綿や麻や亜麻などで作られた厚手の帆布が採用され、裏地にはポリエステルなどの柔らかい化繊が採用されている。
【００１７】
フード状の被着部２０を絞ってこの被着部２０のマチ幅を狭める作用を発揮するマチ幅調節手段６０は、被着部２０におけるマチ部２３の幅方向両縁部それぞれの複数箇所に間隔を隔てて並べて設けられた掛止部６１と、これらの掛止部６１…に摺動可能に掛止されてマチ部２３に巻き掛けられる紐状体６５と、この紐状体６５の緊締状態を保持させるためのストッパー６８と、でなる。図例のマチ幅調節手段６０では、図１〜図３に示したように、１本の紐状体６５をマチ部２３の幅方向両縁部に設けられている掛止部６１に交互に掛け渡してマチ部２３に巻き掛けると共に、その紐状体６５の両端部をマチ部２３の同じ側に引き出してある。所謂ラップ巻きである。そして、マチ部２３から引き出した紐状体６５の両端部にストッパー６８を装着してある。ストッパー６８は、紐状体６５の緊締状態を保持させるために採用されている。この種のストッパー６８としては、外枠とこの外枠の内側に組み込まれて弾発付勢された押さえ具とを有するものが汎用品として提供されていて、このものでは、外枠に挿通された紐状体６５の両端部を、押さえ具と外枠との間で弾発挟着させることによって紐状体６５を滑らないように固定するようになっている。なお、押さえ具を弾発付勢に抗して押し込むと、固定状態が解除されてストッパー６８を紐状体６５に対してスライドさせることができる。
【００１８】
掛止部６１には、図４に示したループ状の布テープを利用することができる。図例のループ状の布テープは、紐状体６５が摺動可能に挿通されるループ６２と、縫い代６３とを備えていて、縫い代６３が、マチ部２３の幅方向両縁部に縫着によって固着される。
【００１９】
以上説明したシートカバー１００は、図５に示した形態でシート２００に装着される。すなわち、ヘッドレスト部２２０と背もたれ部２３０の肩部２３１とを含むシート上部Ｚにフード状の被着部２０を拡げて装着することと併せて、被着部２０から延び出ている敷き布部５０を、シート２００の背もたれ部２３０及び着座部２１０に重ね合わせる。また、これと共に、マチ幅調節手段６０の紐状体６５の両端部を引張って被着部２０を絞ることによりマチ部２３を撓ませてそのマチ幅を狭めると、被着部２０がシート上部Ｚにフィットする。この状態で紐状体６５の緊締状態をストッパー６８によって保持させておくと、被着部２０がシート上部Ｚにフィットしたまま保たれる。この作用はサイズの異なるシートに対しても発揮されるため、サイズの異なるシートに対してもフィット性の高い装着状態を得ることが可能になる。なお、シートカバー１００をシート２００から取り外すときには、紐状体６５を緩めてカバー本体１０の被着部２０におけるマチ部２３のマチ幅を拡げるだけで、被着部２０をシート上部Ｚから楽に無理なく取り外すことが可能になる。
【００２０】
この実施形態では、掛止部６１に図４に示したループ状の布テープを利用しているので、紐状体６５を締め付けたり紐状体６５を緩めたりするときに、紐状体６５が掛止部６１から外れるという事態が起こらない。そのため、確実にかつ容易に紐状体６５を緊締したり緩めたりすることが可能になる。
【００２１】
この実施形態において、マチ幅調節手段６０には１本だけの紐状体６５を使用しているけれども、２本又はそれより多い本数の紐状体を使用し、それぞれの紐状体でマチ部２３の幅方向両縁部に設けられている掛止部６１を締め付けるようにすることも可能である。また、掛止部６１に対する紐状体６５の掛け渡し方には、上記したラップ巻きのほか、隠し結び、クロス結び、ねじり結びといった公知の様々な掛け渡し方を適宜採用することが可能である。さらに、マチ幅調節手段６０として、マチ部２３に設けた線状又は面状のファスナーやホックを利用して被着部２０を絞り、マチ部２３のマチ幅を狭めることにより被着部２０をシート上部Ｚにフィットさせるように構成したものであってもよい。
【００２２】
また、上記実施形態では、カバー本体１０が、フード状の被着部２０と敷き布部５０とを有しているけれども、この点は、敷き布部５０を省略してフード状の被着部２０だけによってカバー本体を形成しておいてもよい。
【００２３】
この考案に係るシートカバーは、サイズの異なるセパレートシート型のフロントシートやリアシートに好適に装着することができることは勿論、ベンチシート型のリアシートなどにも同様に適用することができる。
【符号の説明】
【００２４】
１０  カバー本体
２０  被着部
２３  マチ部
５０  敷き布部
６０  マチ幅調節手段
６１  掛止部
６５  紐状体
６８  ストッパー
１００  シートカバー
２００  シート
２１０  着座部
２２０  ヘッドレスト部
２３０  背もたれ部
２３１  肩部
Ｚ  シート上部
【図１】
0003230665.tif 000003
【図２】
0003230665.tif 000004
【図３】
0003230665.tif 000005
【図４】
0003230665.tif 000006
【図５】
0003230665.tif 000007